(57)【特許請求の範囲】
【請求項１】
船縁に支持される固定部と、該固定部から前方に延成された竿を支持する竿受凹部とを備える竿受本体と、
固定装着溝を周囲に形成した連結突部が上方突成された、前記竿受本体の後縁部に回動可能に支持される取付けベースと、
竿取付機構の下部に前記連結突部に外嵌する取付筒部を設けて、該取付筒部の周面に形成した小孔に、該小孔の孔厚よりも径大の連係球を内外方向への移動可能に担持し、さらに該取付筒部に操作筒体を外嵌して下方付勢し、その下方付勢位置で操作筒体の内壁面により、連係球を取付筒部の内周面から突出させて、前記連結突部の固定装着溝に嵌合可能とし、かつ操作筒体を引き上げると前記連係球の突出保持が解除されるようにしてなる竿取付片とを備え、
さらに、前記連結突部の上端周縁と、前記取付筒部の内奥周面のうち、いずれか一方に、複数の位置決め溝を形成し、いずれか他方に、前記連係球が固定装着溝に嵌入した位置で、該位置決め溝に選択的に係合する１以上の位置決め突起を形成すると共に、
取付けベースの連結突部に形成した固定装着溝の上方に、遊転装着溝を形成し、竿取付片の取付筒部の連係球を、連結突部の上下の装着溝に選択的に嵌合可能とし、遊転装着溝に連係球を嵌合した位置で、前記位置決め溝と前記位置決め突起とは非係合として、取付けベースに対して竿取付片が遊転可能となるようにしたことを特徴とする船釣り用竿受具。
【請求項２】
船べりに固着される取付基台の上面に、係止周縁に囲繞され、かつ側方に開口する半円状装着面を形成し、かつ該装着面の円弧中心に軸支孔を形成すると共に、
竿受本体の固定部の下面に、装着面に挿入開口から挿入する連結片を設け、該連結片の外周と、装着面の円弧状内奥面のいずれか一方に、複数の係合溝を周設し、他方にいずれかの係合溝に選択的に嵌合する係合突部を形成し、さらに連結片の中心を貫通させて形成した上下方向の作動孔に昇降杆を引上げ操作可能に挿通し、取付基台の半円状装着面に連結片が装着された状態で、該昇降杆の下端が軸支孔に脱着可能に挿入されるようにしたことを特徴とする請求項１記載の船釣り用竿受具。
【発明の詳細な説明】
【０００１】
【産業上の利用分野】
本発明は、船釣り用竿受具と、該竿受具に適合する竿用ハンガーに関するものである。
【０００２】
【従来の技術】
船から竿を延出するために船べりに固定される竿受具は、種々提案されている。この竿受具は、船べりに取付けられる固定部から、竿を支持する竿受凹部が前方に延成された竿受本体と、竿受本体の後縁部に回動可能に支持された竿取付片とを備え、該竿取付片の傾動により、魚のアタリに対応した竿の往復傾動操作を可能としている。
【０００３】
【発明が解決しようとする課題】
従来構成にあって、竿取付片は竿受本体に対して回転不能となっていた。高級機種として、竿の船からの延出角度を調整するために、竿受本体を船べりに固着される取付基台の上面に対して水平方向へ回動可能としたものも提供されているが、このものは、狭い角度範囲内での所定角度位置（左右三位置程度）にしか変更設定できなかった。
【０００４】
このため、従来構成にあっては、竿の延出方向の選定を、任意かつ柔軟に設定することができないという問題点があった。
【０００５】
また船を移動させる際には、航行の邪魔にならないように、竿を船側へ退避させる必要があるが、従来構成にあっては、竿受具に竿を取付けたまま、船べりに沿って退避させることができず、このため船を魚群ポイントへ移動させるたびに、竿を竿受具から取り外す必要があって、極めて煩雑であった。この場合に、竿取付片の傾動操作によって、竿をほぼ垂直状態とすることにより対応することも考えられるが、垂直状とする場合には、走行に伴う向かい風により糸が絡まったり、竿が湾曲状となって不安定となる等の問題があり、結局は竿を竿受具から除去せざるをえないのが実状であった。
【０００６】
本発明は、竿の延出角度を随意に設定でき、かつ船の移動時にも、竿受具から、竿を除去することなく対応できる船釣り用竿受具、さらには、簡便に竿を係止できるハンガーを提供することを目的とするものである。
【０００７】
【課題を解決するための手段】
本発明は、
船べりに支持される固定部と、該固定部から前方に延成された竿を支持する竿受凹部とを備える竿受本体と、
固定装着溝を周囲に形成した連結突部が上方突成された、前記竿受本体の後縁部に回動可能に支持される取付けベースと、
竿取付機構の下部に前記連結突部に外嵌する取付筒部を設けて、該取付筒部の周面に形成した小孔に、該小孔の孔厚よりも径大の連係球を内外方向への移動可能に担持し、さらに該取付筒部に操作筒体を外嵌して下方付勢し、その下方付勢位置で操作筒体の内壁面により、連係球を取付筒部の内周面から突出させて、前記連結突部の固定装着溝に嵌合可能とし、かつ操作筒体を引き上げると前記連係球の突出保持が解除されるようにしてなる竿取付片とを備え、
さらに、前記連結突部の上端周縁と、前記取付筒部の内奥周面のうち、いずれか一方に、複数の位置決め溝を形成し、いずれか他方に、前記連係球が固定装着溝に嵌入した位置で、該位置決め溝に選択的に係合する１以上の位置決め突起を形成した
ことを特徴とする船釣り用竿受具である。
【０００８】
さらには、かかる構成にあって、取付けベースの連結突部に形成した固定装着溝の上方に、遊転装着溝をも形成し、竿取付片の取付筒部の連係球を、連結突部の上下の装着溝に選択的に嵌合可能とし、遊転装着溝に連係球を嵌合した位置で、前記位置決め溝と前記位置決め突起とは非係合として、取付けベースに対して竿取付片が遊転可能となるようにしている。
【０００９】
上記構成の船釣り用竿受具にあって、船べりに固着される取付基台の上面に、係止周縁に囲繞され、かつ側方に開口する半円状装着面を形成し、かつ該装着面の円弧中心に軸支孔を形成すると共に、竿受本体の固定部の下面に、装着面に挿入開口から挿入する連結片を設け、該連結片の外周と、装着面の円弧状内奥面のいずれか一方に、複数の係合溝を周設し、他方にいずれかの係合溝に選択的に嵌合する係合突部を形成し、さらに連結片の中心を貫通させて形成した上下方向の作動孔に昇降杆を引上げ操作可能に挿通し、取付基台の半円状装着面に連結片が装着された状態で、該昇降杆の下端が軸支孔に脱着可能に挿入されるようにした構成も提案され得る。
【００１０】
また、上記構成の船釣り用竿受具から取り外された竿取付片の、その取付筒部が外嵌される掛止突部を備え、該掛止突部の周面には、取付筒部の内周面から突出した連係球が嵌合される掛止周溝が形成されている竿のハンガーも提案され得る。
【００１１】
【作用】
前記船釣り用竿受具にあって、竿取付片の操作筒体を引上げて浮上させると、取付筒部の連係球が突出保持されず、竿取付片は連結突部に対して移動可能となる。そこで、かかる操作筒体を浮上位置に保持しながら昇降操作して位置決めし、その浮上操作を解除するより、前記連係球を固定装着溝に係合させる。ここで連係球を固定装着溝に位置させた場合には、連係歯が位置決め溝に係合して所定角度で固定される。この角度調整は操作筒体を引き上げながら、竿取付片を連係歯と位置決め溝とが係合しない少し浮上した位置として角度を選定し、然る後に下降させて、連係歯を位置決め溝に嵌着する。この操作筒体の浮上操作により、連結突部に対して竿取付片を取り除くことも可能となる。
【００１２】
連結突部に遊転装着溝を形成した場合にあっては、連係球を上下の遊転装着溝と、固定装着溝のいずれかに選択的に係合させることが可能となる。ここで連係球を上段の遊転装着溝に装着した場合には、自由に全回転可能となり、竿を海面に対して自由に揺動させることができる。
【００１３】
かかる操作により、竿取付機構により竿取付片に固定された竿は、所定角度で保持され、又は随意に揺動可能となり、このため、竿の延出方向を随意に定め得ることができる。また、船が魚群ポイント間を比較的短い距離を移動するような場合に、竿取付片を回転して竿を船べりに沿って位置させることができ、竿を取り除く必要がない。
【００１４】
一方、船べりに固着される取付基台に、半円状装着面を形成し、竿受本体の固定部の下面に連結片を設けた構成にあっては、昇降杆を引上げて、連結片を退避させ、係合溝と係合突部との係合を解除してから、竿受本体を所定角度に回動させ、しかる後に、連結片を押し込んで、再び係合溝と係合突部とを係合させ、昇降杆の引上げ操作を止めて、その下端を軸支孔に挿入することにより、該竿受本体は、任意の角度で、取付基台に固定される。
【００１５】
而して、船が長時間にわたって、航行するような場合には、竿受本体を船べりに沿って位置させることにより、竿は、竿取付片に固定され、かつ竿受凹部で支持されて、安定的に支えられながら、海上から退避させることができる。
【００１６】
上述のハンガーを船の壁等にあらかじめ固着しておけば、竿と一緒に竿取付片を竿受具から取り外し、竿取付片の操作筒体を引上げて、取付筒部の連係球の突出を解除してから取付筒部を掛止突部に外嵌し、連係球を掛止周溝に嵌合し、操作筒体の浮上操作を解除することにより、竿取付片がハンガーに簡便に固定されることとなる。
【００１７】
【実施例】
添付図面に従って、船釣り用竿受具１の構成につき説明する。
【００１８】図１〜図４にあって、竿受本体２は、船べりｅに固着された取付基台６０に支持される固定部１０と、先端に竿受凹部５が形成された主杆部３とからなり、主杆部３の後端に形成した二股部６を固定部１０に外嵌して、支軸７により主杆部３を上下方向に傾動可能に連結している。この主杆部３は、固定部１０から突出した受部１１により、水平方向に突出する位置を規定され、該位置より上方への傾動を可能としている。また、前記主杆部３の後部には図１で示すように、下方から位置決め螺子９が螺合しており、その螺合進度を調整して、下端を前記受部１１の上面に当接することにより、主杆部３の傾斜角度を随意に設定し得るようにしている。
【００１９】
前記固定部１０の後端にも二股部１２が形成され、該二股部１２に取付けベース２０が、支軸１３により回動可能に内嵌されている。この支軸１３には図３で示すように、コイル１４が巻装され、取付けベース２０を図１の定常位置に付勢している。この取付けベース２０を支軸１３に対して、図１鎖線で示すように、後方へ回動させることにより、後述するように竿取付片３０を介して取付けベース２０に支持された竿ｘを起立させて、魚の取り込みや、針への餌付に対応し得るようにしている。
【００２０】
この取付けベース２０の上面には、図５〜７で示すように、連結突部２１が上方突成されている。この連結突部２１の周面には、上下二段の周溝が円周鍔間に形成され、下段の周溝を固定装着溝２２ａとし、上段の周溝を遊転装着溝２２ｂとしている。さらに連結突部２１の上端には、等角度間隔で８箇所の位置決め溝２３が歯車状に形成されている。また円周鍔には欠部２４が形成されている。この欠部２４により装着溝２２ａ，２２ｂ内が外気と連通して、圧力の閉じ込みが防止され、かつ後述する連係球４２が欠部２４に軽く係止されて、竿取付片３０の回転に節度作用を生じることとなる。
【００２１】
この連結突部２１には、竿取付片３０が脱着可能に嵌装される。この竿取付片３０の構成を詳細に説明する。
【００２２】
この竿取付片３０は、基部片３１と、該基部片３１上に保持される円弧状蓋片３４と、前記基部片３１の取付筒部４０に嵌装する操作筒体４５とからなるものである。
【００２３】
前記竿取付片３０の基部片３１上には図４で示すように、半円形断面の竿受部３２が形成され、該竿受部３２の両側部に、側方へ開口する螺子止め溝３３，３３が形成され、該螺子止め溝３３，３３内に螺子杆３５，３５を挿入して、その下端を螺子止め溝３３，３３内でピン３８により支持して、螺子止め溝３３，３３内で側方への傾動可能とし、さらに、前記蓋片３４の両側に形成した透孔３６ａと、側方に開口した溝孔３６ｂに螺子杆３５，３５の上端を挿入位置させ、該上端につまみナット３７を螺合するようにしている。而して竿受部３２，蓋片３４及び螺子杆３５により、竿ｘの取付け機構を構成している。
【００２４】
そして、竿ｘを竿受部３２に支持し、竿ｘ上に蓋片３４を被着して、一方の螺子杆３５を溝孔３６ｂに側方から嵌装してから、螺子杆３５，３５に夫々軽く螺着した、つまみナット３７，３７を夫々緊締することにより、竿ｘを竿取付片３０に固定するようにしている。
【００２５】
前記取付筒部４０は、竿受部３２の下部に連成され、取付けベース２０の連結突部２１に外嵌する。そして、図５，６で示すように、取付筒部４０の下縁には、等角度間隔で四つの小孔４１が形成され、該小孔４１内に、その孔厚よりも径大の連係球４２が嵌装され、内外方向への移動可能に担持されている。さらに該取付筒部４０に操作筒体４５を外嵌して、発条４６により下方付勢し、その下方付勢位置で操作筒体４５の内壁面４７により、連係球４２を取付筒部４０の内周面から突出保持させるようにしている（図６位置）。尚、この操作筒体４５は、前記取付筒部４０の下縁に巻き込んだ、係止リング４３により下方への離脱不能に保持され、かかる位置で、上記のように連係球４２は内側へ突出することとなって、これが定常位置となる。前記操作筒体４５は、側方に操作突部４８，４８が突成され、図５で示すように、該操作突部４８，４８に指を掛けて引上げることにより、発条４６に抗して操作筒体４５が浮上し、この浮上位置で、内壁面４７と連係球４２とが非接触となり、これにより連係球４２は内外方向へ移動可能となり、その突出保持が解除されるようにしている。
【００２６】
一方、前記取付筒部４０の内奥部周面には、図７で明瞭に示すように前記位置決め溝２３と係合する位置決め突起４９が前記位置決め溝２３と同様の個数で、内歯車状に周設されている。この位置決め突起４９は前記連係球４２が固定装着溝２２ａに位置した状態で、位置決め溝２３と係合するように、配置設定される。
【００２７】
かかる構成にあって、前記操作突部４８，４８を用いて操作筒体４５を引張した状態で、前記連結突部２１に取付筒部４０を外嵌し、上段の遊転装着溝２２ｂに連係球４２を位置させて、操作筒体４５の引張解除をすると、遊転装着溝２２ｂに取付筒部４０が保持され、竿取付片３０に支持された竿ｘは取付けベース２０を中心に遊転可能となる。このとき、円周鍔に形成した欠部２４に連係球４２が軽く係止されて節度作用を生じることとなる。
【００２８】
また操作筒体４５を引張した状態で、竿ｘの方向を定めて、図６で示すように、固定装着溝２２ａに連係球４２を位置させると、位置決め突起４９と位置決め溝２３とが係合して、かかる位置に回転不能に保持される。このため、竿ｘは、竿受本体２に対して所望角度に位置保持されることとなる。
【００２９】
尚、操作筒体には、固定装着溝２２ａのみを形成するようにしても良い。
【００３０】
一方、固定部１０の下面には、図８，９で示すように、截頭円錐形の連結片５０が連成され、その下端外周に複数の係合溝５１が等角度間隔で形成される。また、連結片５０の中心を貫通して固定部１０には上下方向の作動孔５２が形成され、該作動孔５２に昇降杆５３が挿通されている。この昇降杆５３は、発条５４により下方付勢され（図１参照）、最下方位置で、その下端を前記連結片５０の下面から下方に突出させている。また前記昇降杆５３の上端には、引張操作を容易とするために、操作リング５６が装着されている。尚、昇降杆５３を自重により、下端を下方突出させるようにしても良い。
【００３１】
この連結片５０は取付基台６０に固定される。この取付基台６０は船べりｅ等に固着されるものであり、その構成を図４，７，１０，１１に従って説明する。
【００３２】
この取付基台６０の四隅には、夫々船べりｅに螺子固定するための装着孔６１が形成されている。そしてその中央部には、内側方に挿入開口６５が形成された嵌着溝６２が形成され、該嵌着溝６２の内奥部を前記連結片５０の底面の外径と等しい径の半円状装着面６３としている。この嵌着溝６２はその周縁を前記連結片５０の側面角度と等しい角度の内側面とする係止周縁６６が形成され、該係止周縁６６を半円状装着面６３周囲の半円状部から、接線方向へ平行に内側方まで延出し、これにより、連結片５０が挿入し得る前記挿入開口６５を生じさせている。
【００３３】
この半円状装着面６３周囲の係止周縁６６にはその奥面で、前記係合溝５１に嵌入し得る係合突部６７が形成されている。さらに、半円状装着面６３の円弧中心位置には、前記昇降杆５３の下端が挿入し得る軸支孔６８が形成されている。
【００３４】
かかる構成にあって、前記竿受本体２の固定部１０に設けられた昇降杆５３を操作リング５６を用いて、発条５４に抗して引張し、船べりｅに固着した取付基台６０の挿入開口６５から連結片５０を挿入し、該竿受具１を取付基台６０に対して適宜角度に設定し、さらに半円状装着面６３まで挿入して、いずれかの係合溝５１に係合突部６７を嵌入し、昇降杆５３の引張操作を解除して、その下端を軸支孔６８に挿入する。
【００３５】
これにより、連結片５０は所定角度で位置決めされて、昇降杆５３により摺動不能となり、係止周縁６６により上方離脱不能となって半円状装着面６３に保持されることとなる。
【００３６】
かかる構成の竿受具１にあって、竿取付片３０は、取付けベース２０の連結突部２１に対して、遊転装着溝２２ｂに取付筒部４０の連係球４２を位置させることにより、竿ｘを海面上で揺動可能に支持できる。また、固定装着溝２２ａに連係球４２を位置させ、かつ位置決め突起４９を位置決め溝２３に係合することにより竿受本体２に対して竿ｘを所定角度に保持できる。このため、竿取付片３０に固定された竿ｘの延出方向を、竿受凹部５に保持される定常位置のみならず、竿受凹部５から離脱した随意の方向にに定め得ることができる。また、船が魚群ポイント間を比較的短い距離を移動するような場合に、竿取付片３０を回転して竿ｘを船べりｅに沿って位置させることができ、竿ｘを取り除く必要がない。
【００３７】
一方、船べりｅに固着される取付基台６０に対して、連結片５０の位置決め操作により、竿受本体２を所望角度に位置決めすることができる。このため船が長時間にわたって航行するような場合には、竿受本体２を船べりｅに沿って位置させることにより、竿ｘは、竿取付片３０に固定され、かつ竿受凹部５で支持されて、安定的に支えられながら、海上から退避させ得ることとなる。
【００３８】
而して、上述の竿受具１に在っては、常に竿ｘの角度を調整しながら、行なうような竿操作には、竿取付片３０を竿受本体２に対して回動させるようにして対応し、竿ｘを一定位置に長時間保持するような場合には、竿受本体２を取付基台６０に対して回動するようにして竿ｘを竿受凹部５で保持する等、種々の竿ｘの操作に対応することが可能となる。
【００３９】
図１１，１２は、竿ｘのハンガー７０を示すものである。
【０００３】このハンガー７０は、掛止突部７１を基体とするものであり、この掛止突部７１の周面には、上下二段の周溝が形成され、下段の周溝を固定用掛止周溝７２ａとし、上段の周溝を遊転用掛止周溝７２ｂとしている。さらに掛止突部７１の上端には、等角度間隔で８箇所の位置決め溝７３が歯車状に形成されている。
【００４０】
またその中心には、船の壁面等に固定するための固定ボルトの挿入孔７５が形成され、かつその下面に回転止めの係止突起７６が形成される。そして船の壁面又は壁面に固定された取付け板片等に係止突起７６を嵌入し、挿入孔７５から固定ボルトを螺合して、適宜の壁面ｗにハンガー７０が固着される。
【００４１】
この掛止突部７１には、竿ｘに装着された竿取付片３０が脱着可能に嵌装される。すなわち、前記操作突部４８，４８を用いて取付筒部４０に外嵌されている操作筒体４５を引張した状態で、固定用掛止周溝７２ａに連係球４２を位置させると、位置決め突起４９と位置決め溝７３とが係合して、かかる位置に、回転不能に保持される。このため、竿ｘは、ハンガー７０に対して所望角度に位置保持されることとなる。
【００４２】
また操作筒体４５を引張した状態で、前記掛止突部７１に取付筒部４０を外嵌し、上段の遊転用掛止周溝７２ｂに連係球４２を位置させて、操作筒体４５の引張解除をすると、掛止周溝７２ｂに取付筒部４０が保持され、竿取付片３０に支持された竿ｘは取付けベース２０を中心に遊転可能となる。
【００４３】
而して、竿受具１に適用していた竿ｘを、船の所定位置に固定するには、竿取付片３０を除く必要がなく、この竿取付片３０を利用してハンガー７０に対し連結することにより、迅速かつ簡便に行なうことができる。さらに竿受具１への再取付けも、極めて容易に行なうことが可能となる。
【００４４】
尚、このハンガー７０は、竿ｘを固定するものであるから、単一の掛止周溝を掛止突部７１に周設するようにしても良い。
【００４５】
【発明の効果】
本発明は、竿受本体２に対して竿ｘを保持する竿取付片３０を竿受本体２に固定される取付けベース２０の連結突部２１に所定角度に簡易に保持できるようにしたから、竿ｘの船からの延出方向を随意に調整できて、潮の流れ等の種々の状況に対応した多様な竿操作を簡易に行なうことができ、船の短距離移動等にも簡易に対応できる。また竿取付片３０を連結突部２１に遊転可能にも保持し得るようにした場合には、さらに多様な竿操作が可能となる。
【００４６】
また、竿受本体２を取付基台６０に対して回動可能とした構成にあっては、竿受凹部５による支持角度を随意に変更できるから、船に対して所定方向に安定して保持することができ、船の航行時に、竿ｘを竿受具１から取り除くことなく対応することができる。
【００４７】
さらには、船の壁等に固定される掛止周溝７２ａ，７２ｂを備えたハンガー７０を設けて、竿取付片３０の取付筒部４０を外嵌して、その連係球４２を掛止周溝７２ａ，７２ｂに嵌着し得るようにした構成にあっては、竿ｘを竿受具１から解放するに際して、竿取付片３０を除く必要がなく、かつ、該竿取付片３０を利用することにより、簡易迅速に竿ｘを保持することができる、等の優れた効果がある。
【図面の簡単な説明】
【図１】本発明に係る竿受具１の一実施例を示す一部切欠側面図である。
【図２】同上の平面図である。
【図３】同上の底面図である。
【図４】同上の背面図である。
【図５】取付けベース２０と竿取付片３０を分離して示す一部縦断側面図である。
【図６】取付けベース２０と竿取付片３０の連結状態を示す一部縦断側面図である。
【図７】図６Ａ−Ａ断面図である。
【図８】取付基台６０と連結された固定部１０の側面図である。
【図９】固定部１０の底面図である。
【図１０】取付基台６０の一部切欠平面図である。
【図１１】ハンガー７０の一部切欠側面図である。
【図１２】ハンガー７０の平面図である。
【符号の説明】
１  竿受具
２  竿受本体
３  主杆部
５  竿受凹部
１０  固定部
２０  取付けベース
２１  連結突部
２２ａ  固定装着溝
２２ｂ  遊転装着溝
２３  位置決め溝
３０  竿取付片
３２  竿受部
４０  取付筒部
４２  連係球
４５  操作筒体
４６  発条
４７  内壁面
４９  位置決め突起
５０  連結片
５１  係合溝
５２  作動孔
５３  昇降杆
５４  発条
６０  取付基台
６２  嵌着溝
６３  半円状装着面
６５  挿入開口
６６  係止周縁
６７  係合突部
６８  軸支孔
７０  ハンガー
７１  掛止突部
７２ａ，７２ｂ  掛止周溝
７３  位置決め溝
【図１】
0003541071.tif 000002
【図２】
0003541071.tif 000003
【図３】
0003541071.tif 000004
【図４】
0003541071.tif 000005
【図５】
0003541071.tif 000006
【図６】
0003541071.tif 000007
【図７】
0003541071.tif 000008
【図８】
0003541071.tif 000009
【図９】
0003541071.tif 000010
【図１０】
0003541071.tif 000011
【図１１】
0003541071.tif 000012
【図１２】
0003541071.tif 000013